(57)【要約】  積層体及びホログラム層の一体感を向上し、ホログラムの視覚的な効果を向上した積層体を提供する。  カード（１）は、カード基材（１０）と、カード基材（１０）上の一部の領域に積層されたホログラム層（２０）と、カード基材（１０）及び透明ホログラム層（２０）よりも上側に積層され、透明な材料により形成され、カード基材（１０）上面と同系色に印刷された印刷層（４０）を有する表層（３０）とを備え、印刷層（４０）は、カード表面（１ａ）を法線方向から見たときに、透明ホログラム層（２０）の縁部（２２）では、カード基材（１０）上面と同等又はほぼ同等の濃淡であり、透明ホログラム層（２０）の縁部（２２）よりも内側の外側縁部（４３ａ）からさらに内側に至るに従って濃淡が薄くなり、透明ホログラム層（２０）の画像（２１）部分では、窓部（４４）を形成する変移部（４３）を備える。
2012118170.tif 000002
【特許請求の範囲】
【請求項１】
カード基材と、
前記カード基材上の一部の領域に積層された透明ホログラム層と、
前記カード基材及び前記透明ホログラム層よりも上側に積層され、透明な材料により形成され、前記カード基材と同系色に印刷された印刷層を有する表層とを備え、
前記印刷層は、この積層体の上面を法線方向から見たときに、
前記透明ホログラム層の縁部では、前記カード基材上面と同等又はほぼ同等の濃淡であり、
前記透明ホログラム層の縁部よりも内側の部分からさらに内側に至るに従って濃淡が薄くなり、前記透明ホログラム層の画像部分では、窓部を形成する変移部を備えること、
を特徴とするホログラムを有する積層体。
【請求項２】
請求項１に記載のホログラムを有する積層体において、
前記カード基材上面及び前記印刷層は、黒色系であること、
を特徴とするホログラムを有する積層体。
【請求項３】
請求項１又は請求項２に記載のホログラムを有する積層体において、
前記カード基材は、
少なくとも２つの基材層と、
前記少なくとも２つの基材層の層間を接着する接着層とを備えること、
を特徴とするホログラムを有する積層体。
【請求項４】
請求項１から請求項３までのいずれか１項に記載のホログラムを有する積層体において、
この積層体の上面を法線方向から見たときに、前記透明ホログラム層の領域にエンボスを備えること、
を特徴とするホログラムを有する積層体。
【請求項５】
請求項１から請求項４までのいずれか１項に記載のホログラムを有する積層体において、
前記カード基材の上面に印刷により設けられ、前記カード基材及び表層間と、前記カード基材及び前記ホログラム層間とを接着する印刷接着層を備えること、
を特徴とするホログラムを有する積層体。
【請求項６】
請求項１から請求項５までのいずれか１項に記載のホログラムを有する積層体において、
前記印刷層は、前記表層の下面に設けられていること、
を特徴とするホログラムを有する積層体。
【請求項７】
請求項１から請求項５までのいずれか１項に記載のホログラムを有する積層体において、
前記印刷層は、前記表層の上面に設けられていること、
を特徴とするホログラムを有する積層体。
【請求項８】
請求項１から請求項７までのいずれか１項に記載のホログラムを有する積層体において、
この積層体の上面は、マット加工されていること、
を特徴とするホログラムを有する積層体。
【請求項９】
請求項１から請求項８までのいずれか１項に記載のホログラムを有する積層体において、
前記ホログラムは、リップマン型のホログラムであること、
を特徴とするホログラムを有する積層体。
【請求項１０】
請求項１から請求項９までのいずれか１項に記載のホログラムを有する積層体において、
この積層体は、カードであること、
を特徴とするホログラムを有する積層体。
【発明の詳細な説明】
【技術分野】
【０００１】
本発明は、ホログラムを有する積層体に関するものである。
【背景技術】
【０００２】
従来、表面にホログラム層を積層した情報記録体があった（例えば特許文献１）。
しかし、従来の情報記録体は、ホログラム層の縁部が視認できてしまい、ホログラムと情報記録体との一体感が乏しかった。
【先行技術文献】
【特許文献】
【０００３】
【特許文献１】特開２００１−２９３９８２号公報
【発明の概要】
【発明が解決しようとする課題】
【０００４】
本発明の課題は、積層体及びホログラム層の一体感を向上し、ホログラムの視覚的な効果を向上した積層体を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。【０００６】
・第１の発明は、カード基材（１０，２１０，３１０，４１０）と、前記カード基材上の一部の領域に積層された透明ホログラム層（２０，２２０，３２０，４２０）と、前記カード基材及び前記透明ホログラム層よりも上側に積層され、透明な材料により形成され、前記カード基材と同系色に印刷された印刷層（４０，２４０，３４０，４４０）を有する表層（３０，２３０，３３０，４３０）を備え、前記印刷層は、この積層体の表面を法線方向から見たときに、前記透明ホログラム層の縁部（２２）では、前記カード基材上面と同等又はほぼ同等の濃淡であり、前記透明ホログラム層の縁部よりも内側の部分（４３ａ）からさらに内側に至るに従って濃淡が薄くなり、前記透明ホログラム層の画像（２１）部分では、窓部（４４）を形成する変移部（４３）を備えること、を特徴とするホログラムを有する積層体である。
・第２の発明は、第１の発明のホログラムを有する積層体において、前記カード基材（１０，２１０，３１０，４１０）上面及び前記印刷層（４０，２４０，３４０，４４０）は、黒色系であること、を特徴とするホログラムを有する積層体である。
・第３の発明は、第１又は第２の発明のホログラムを有する積層体において、前記カード基材（１０，２１０，３１０，４１０）は、少なくとも２つの基材層（２１１，３１１，４１１、２１３，３１３，４１３）と、前記少なくとも２つの基材層の層間を接着する接着層（２１２，３１２，４１２）とを備えること、を特徴とするホログラムを有する積層体である。
・第４の発明は、第１から第３までのいずれかの発明のホログラムを有する積層体において、この積層体（２０１，３０１，４０１）の表面を法線方向から見たときに、前記透明ホログラム層（２２０，３２０，４２０）の領域にエンボス（２７０，３７０，４７０）を備えること、を特徴とするホログラムを有する積層体である。
・第５の発明は、第１から第４までのいずれかの発明のホログラムを有する積層体において、前記カード基材（４１０）の上面に印刷により設けられ、前記カード基材及び表層間と、前記カード基材及び前記ホログラム層（４２０）間とを接着する印刷接着層（４１４）を備えること、を特徴とするホログラムを有する積層体である。
・第６の発明は、第１から第５までのいずれかの発明のホログラムを有する積層体において、前記印刷層（３４０）は、前記表層（３３０）の下面に設けられていること、を特徴とするホログラムを有する積層体である。
・第７の発明は、第１から第５までのいずれかの発明のホログラムを有する積層体において、前記印刷層（４０，２４０，４４０）は、前記表層（３０，２３０，４３０）の上面に設けられていること、を特徴とするホログラムを有する積層体である。
・第８の発明は、第１から第７までのいずれかの発明のホログラムを有する積層体において、この積層体（４０１）の上面は、マット加工されていること、を特徴とするホログラムを有する積層体である。
・第９の発明は、第１から第８までのいずれかの発明のホログラムを有する積層体において、前記ホログラムは、リップマン型のホログラムであること、を特徴とするホログラムを有する積層体である。
・第１０の発明は、第１から第９までのいずれかの発明のホログラムを有する積層体において、この積層体（１，２０１，３０１，４０１）は、カードであること、を特徴とするホログラムを有する積層体である。
【発明の効果】
【０００７】
本発明によれば、積層体及びホログラム層の一体感を向上し、ホログラムの視覚的な効果を向上した積層体を提供できる。
【図面の簡単な説明】
【０００８】
【図１】第１実施形態のカード１の平面図、断面図である。
【図２】第２実施形態のカード２０１の平面図、断面図である。
【図３】第２実施形態、比較例のエンボス加工部近傍の断面を、模式的に示す断面図である。
【図４】第２実施形態のカード２０１、比較例のカード１０１を上側Ｚ２に凸になるように屈曲した状態の断面図である。
【図５】第３実施形態のカード３０１の平面図、断面図である。
【図６】第４実施形態のカード４０１の平面図、断面図である。
【発明を実施するための形態】
【０００９】
（第１実施形態）
以下、図面等を参照して、本発明の実施形態について説明する。
図１は、第１実施形態のカード１の平面図、断面図である。
図１（ａ）は、カード１の平面図（カード上面（表面）１ａを法線方向から見た図）である。
図１（ｂ）は、カード１の断面図（図１のｂ−ｂ部矢視断面図）である。
図１（ｃ）は、図１（ｂ）の二点鎖線ｃ内の拡大図である。
なお、以下の説明において、カード１の平面図（図１（ａ））の形状を、適宜平面形状という。また、各図は、ホログラムに関する構成を、大きく図示する。
【００１０】
カード１（積層体）は、カード基材１０上に下側Ｚ１（カード裏面側）から上側Ｚ２（カード上面（表面）側）に、ホログラム層２０、表層３０が積層されている。これらの各層は、ＰＥＴ（ポリエチレンテレフタラート），ＰＥＴ−Ｇ、ＰＶＣ（ポリ塩化ビニル）、ポリカーボネート等の樹脂シート材により形成される。各層間は、接着層、粘着層によって接合したり、熱圧着によって接合できる。
カード１は、例えばクレジットカード等に利用されるものである。このため、カード１は、ＩＣチップ、外部接触端子、非接触通信用のコイルアンテナ（例えば、導線アンテナ、エッチングアンテナ等）、磁気ストライプ、及びこれらの部材を支持する層等を備える。これらの詳細な説明は、省略する。
【００１１】
カード基材１０は、カード１のベースとなる部材である。なお、第１実施形態では、カード基材１０の上側Ｚ２に層構成を設けた例を説明するが、必要に応じて、カード基材１０の下側Ｚ１にも層構成を設けてもよい。
カード基材１０の上面の色彩は、黒色であり、カーボンブラックを例えば約１％程度含んでいる。カード基材１０の上面の色彩は、カード基材１０そのままの色彩でもよく、カード基材１０の上面に印刷をする場合には、その印刷の色彩でもよい。
【００１２】
ホログラム層２０は、透光性を有する透明ホログラムが形成された層である。透明ホログラムは、リップマン型のホログラムである。
リップマン型のホログラムは、フィルム上に特殊なポリマー層を塗布し、そのポリマー層内に屈折率の変化による干渉縞を形成するものである。リップマン型のホログラムは、この干渉縞に光を入射されると、回折現象によってホログラム像を再生する。リップマン型のホログラムは、上下左右の立体感や奥行き感の表現に優れ、より本物の物体に近い立体感が得られる。リップマン型のホログラムは、使用する材料や製造プロセスが特殊なことから、偽造することが極めて困難であり、例えばエンボス型のホログラムよりも、改ざん防止効果を向上できる。
ホログラム層２０は、地球のホログラム画像２１が記録されている。ホログラム画像２１は、陸地２１ａ、輪郭２１ｂの部分に情報（画像）が記録されており、海２１ｃと、輪郭２１ｂよりも外側の外側部分２１ｄとは、透明である。このため、陸地２１ａ、輪郭２１ｂの部分が立体的に見える。また、海２１ｃと、外側部分２１ｄのうち窓部４４（後述する）の内側とは、光が透過してカード基材１０の上面を視認できる。
【００１３】
図１（ａ）に示すように、ホログラム層２０の外形は、カード１の外形よりも小さい。すなわち、ホログラム層２０は、カード基材１０上の一部の領域のみに積層されている。これは、高価なホログラム層２０を小さくして、コストを低減するためである。
【００１４】
表層３０は、カード基材１０及びホログラム層２０よりも上側Ｚ２に積層されている。表層３０は、透明な材料により形成される。表層３０の上面、つまりカード上面１ａは、鏡面に形成される。なお、カード上面１ａが鏡面であることにより、ホログラム画像２１は、シャープに観察され、立体感を向上できる。
表層３０の上面には、印刷層４０が設けられている。
印刷層４０は、例えば、ＰＥＴ上に設けられた転写箔を、板材で表層３０の上面に加圧して、転写することにより形成される。この板材の上面は、鏡面状でも、マット状でもよいが、マット状の方が、鏡面状よりも転写適性がよく、異物によるカードの凹みが少ないため、好適である。なお、いずれの場合であって、カード上面１ａを鏡面に形成することができる。
印刷層４０は、カード基材１０と同系色の黒色に印刷された層である。印刷層４０は、カーボンブラックを例えば１５〜３０％程度含んでいる。
平面形状において、印刷層４０のうちホログラム層２０の縁部２２に重なる部分４１及びその近傍の領域４２は、カード基材１０と同等又はほぼ同等の濃淡である。
【００１５】
印刷層４０は、変移部４３を有する。
変移部４３は、ホログラム層２０の縁部２２よりも内側の外側縁部４３ａから、さらに内側に至るに従って濃淡が薄くなるようにグラデーション印刷された部分である。変移部４３内での濃淡は、外側縁部４３ａの１００％から内側縁部４３ｂの０％へと徐々に薄くなっている。変移部４３の内側縁部４３ｂよりも内側の部分は、窓部４４になっている。
窓部４４は、透明な表層３０が完全に露出している。このため、窓部４４からは、ホログラム層２０のホログラム画像２１の全てが視認できる。
【００１６】
次に、上側Ｚ２からのカード１の見え方について説明する。
（ホログラム層２０の縁部２２近傍）
前述したように、印刷層４０のうちホログラム層２０の縁部２２に重なる部分４１及びその近傍の領域４２は、カード基材１０と同等又はほぼ同等の濃淡である。このため、ホログラム層２０の縁部２２は、印刷層４０によって目隠しされる（矢印Ａ参照）。さらに、カード基材１０及び印刷層４０が、光を吸収する黒色系であるので、ホログラム層２０の縁部２２は、ほとんど視認できない。
【００１７】
（変移部４３）
変移部４３の外側縁部４３ａでは、印刷層４０の色彩のみが視認される。ホログラム層２０が透明であるので、外側縁部４３ａから内側に至るに従って徐々にカード基材１０が視認できるようになっていく。そして、変移部４３の内側縁部４３ｂでは、カード基材１０の色彩のみが視認されるようになる（矢印Ｂ参照）。さらに、印刷層４０及びカード基材１０は、同系色の黒色である。このため、印刷層４０及びカード基材１０が、継ぎ目のない同一部材のように一体となって視認される。
【００１８】
（窓部４４）
窓部４４内部は、表層３０に印刷層４０が形成されていないので、ホログラム層２０のホログラム画像２１を確認できる。ホログラムは、透明ホログラムであるので、その背面には、カード基材１０の色彩が視認される。また、前述したように、印刷層４０及びカード基材１０は、継ぎ目がなく一体となって視認される。
このため、ホログラム画像２１の周囲は、ホログラム層２０よりも広い範囲で黒色の背面が存在するように観察される。また、ホログラム画像２１の海２１ｃの部分は、透明であるので、カード基材１０の色彩が視認される。
これにより、ホログラム画像２１は、黒色を背景にして、地球の陸地２１ａ、輪郭２１ｂの部分が浮き上がってより立体的に観察される。
なお、第１実施形態のカード１の上記視覚的な効果は、試作によって確認済みである。
【００１９】
以上説明したように、第１実施形態のカード１は、一部領域のみにホログラム層２０が設けられている場合でも、カード１の全体からホログラムが立体的に見える効果を向上できる。また、これにより、高級感を出すことができる。
さらに、リップマン型のホログラムは、透明でありながら、立体的に見える視覚的な効果が、例えばエンボスホログラムよりも大きい。第１実施形態のカード１は、このリップマン型のホログラムの特性を利用して、透明なホログラム層２０の背面に配置されたカード基材１０を見せ、ホログラム画像２１を立体的に見せることができる。
さらにまた、リップマン型のホログラムは、偽造が困難であり、かつ、ホログラム層２０をカード１の内部に収容し、ホログラム層２０の縁部２２を上記構成により目立たなくするためには、さらに高度な製造技術が必要である。このため、クレジットカード等の偽造防止の効果を向上できる。
【００２０】
（第２実施形態）
次に、本発明の第２実施形態について説明する。
なお、以下の各実施形態の説明及び図面において、前述した第１実施形態と同様の機能を果たす部分には、同一の符号又は末尾（下２桁）に同一の符号を付して、重複する説明を適宜省略する。
図２は、第２実施形態のカード２０１の平面図、断面図である。
図２（ａ）は、カード２０１の平面図（カード上面（表面）２０１ａを法線方向から見た図）である。
図２（ｂ）は、カード２０１の断面図（図２のｂ−ｂ部矢視断面図）である。
図２（ｃ）は、カード２０１の断面図（図２のｃ−ｃ部矢視断面図）である。
なお、図２（ｂ）、図２（ｃ）では、エンボス２７０の断面形状の図示は、省略した。
【００２１】
カード２０１は、カード基材２１０、ホログラム層２２０、表層２３０、磁気ストライプ２３１、上印刷層２４０、下層２５０、下印刷層２６０、エンボス２７０を備える。
カード基材２１０は、下基材２１１及び上基材２１３と、下基材２１１及び上基材２１３間を接着する接着層２１２を備える。つまり、カード２０１は、２層の下基材２１１及び上基材２１３により、カード基材２１０が形成される。
下基材２１１及び上基材２１３は、同じ材質、同じ厚さの層である。下基材２１１及び上基材２１３間には、電気部品等の機能部品は設けられておらず、接着層２１２のみが存在する。つまり、カード基材２１０は、本来は、単層構成でもよいが、後述するように、エンボス加工時の加工性能、屈曲に対する耐久性向上等のために、２層構成にしている。
【００２２】
ホログラム層２２０は、ホログラム形成層２２６、ホログラム保護層２２７が、下側Ｚ１から順に積層されて形成される。
ホログラム形成層２２６は、第１実施形態のホログラム層２２０と同様な部材である。ホログラム形成層２２６は、透明なヒートシール層２２５によって、上基材２１３の上面に接着される。
ホログラム保護層２２７は、ホログラム形成層２２６を保護する保護シートである。ホログラム保護層２２７は、ホログラム形成層２２６の上面に接着されている。ホログラム保護層２２７は、透明なＰＥＴ等により形成される。
ここで、カード２０１の製造工程は、加圧工程、加熱工程等を備える。カード２０１は、このホログラム保護層２２７を設けることにより、これらの工程時において、ホログラム形成層２２６のホログラム構造の潰れを抑制できる。なお、この抑制効果は、比較試験、試作により確認済みである。
【００２３】
表層２３０、上印刷層２４０は、第１実施形態の表層３０、印刷層４０と同様である。
なお、表層２３０の下面及びホログラム保護層２２７の上面間は、接着構造が設けられていない。このため、表層２３０の下面及びホログラム保護層２２７の上面間は、ホログラム層２２０周囲の上基材２１３の上面及び表層２３０の下面間が接着されて、浮き（剥離）が抑制されるようになっている。
【００２４】
磁気ストライプ２３１は、表層２３０の上面に積層される。磁気ストライプ２３１は、平面図において、窓部４４及び変移部４３以外の領域に配置される。このため、磁気ストライプ２３１は、上印刷層２４０によって隠蔽され、カード上面２０１ａからは視認できないようになっている。
磁気ストライプ２３１には、銀行、クレジット会社の口座番号等に関する情報が記録されている。この情報は、リーダ（図示せず）を用いて、読み取りできる。
【００２５】
下層２５０は、表層２３０と同様な部材である。つまり、カード２０１は、カード基材２１０の下側Ｚ１にも、層構成が設けられている。下層２５０には、必要に応じて、表層２３０と同様に、磁気ストライプ等が設けられる。
下印刷層２６０は、下層２５０の上面に設けられている。印刷層は、ＰＥＴ上に設けられた転写箔を転写して形成される。つまり、下印刷層２６０は、上印刷層２４０と同様に形成される。但し、下印刷層２６０は、変移部４３、窓部４４を備えていない。カード２０１は、下面からホログラム画像を観察する仕様ではないからである。下印刷層２６０は、カード２０１の各種情報（文字、記号、図形）や、デザイン画像等を有する。
なお、下印刷層２６０は、下層２５０に覆われて露出しないので、汚損を抑制できる。
【００２６】
エンボス２７０は、平面図において、窓部４４の外部だけではなく、窓部４４内部、つまり、ホログラム層２２０上にも配置されている。エンボス２７０は、カード２０１の上面において、上側Ｚ２に凸になるように形成される。
【００２７】
主な層の材料、厚み、色彩の例は、上側Ｚ２から下記の通りである。
表層２３０：透明、５０μｍ、ＰＥＴ−Ｇ、三菱樹脂（株）、ＰＧ−ＭＣＴ
上基材２１３：黒、３００μｍ、ＰＥＴ−Ｇ、三菱樹脂（株）、ＢＧ−ＷＳＥ
接着層２１２：透明、ポリエステル系樹脂、透明１００μｍ（５０μｍ×２層）、東亜合成（株）、ＰＥＳ−１１１ＥＥ
下基材２１１：上基材２１３に同じ
下層２５０：表層２３０に同じ
なお、接着層２１２は、厚みを調整するために、２層構成にした。接着層２１２は、単層で１００μｍの接着層を、市場から入手できれば、これを用いてもよい。
【００２８】
カード側面の色彩について説明する。
接着層２１２は、透明である。また、説明及び図示は、省略するが、その他の層間（例えば、上基材２１３及び表層２３０間）にも、これら間を接着する透明な接着層を有する。その他の側面に露出する層（下基材２１１、上基材２１３等）は、黒色である。
ここで、透明な層は、カード側面から見ると、黒色に観察される傾向を有する。このため、カード２０１は、側面の全面が黒色に観察され、外観を損なわない。
【００２９】
（エンボス外観の比較例との比較）
前述したように、カード基材２１０は、下基材２１１及び上基材２１３間が接着層２１２により接着されて構成される。これにより、カード２０１は、エンボス２７０の外観を向上できることを、比較例との比較によって、実際に試作を行い確認した。
【００３０】
図３は、第２実施形態、比較例のエンボス加工部近傍の断面を、模式的に示す断面図である。
図３（ａ）は、第２実施形態のエンボス加工部近傍の断面図（図２の３ａ−３ａ部断面図）である。
図３（ｂ）は、比較例のエンボス加工部近傍の断面図である。
図４は、第２実施形態のカード２０１、比較例のカード１０１を上側Ｚ２に凸になるように屈曲した状態の断面図である。
図４（ａ）は、第２実施形態のカード２０１の断面図である。
図４（ｂ）は、比較例のカード１０１の断面図である。
【００３１】
図３（ｂ）に示すように、比較例のカード１０１は、カード基材１１０を１層のシートにより形成した。カード基材１１０は、材質が、第２実施形態の下基材２１１及び上基材２１３と同様であり、厚みが、下基材２１１及び上基材２１３を足した厚みと同等である。
比較例のカード１０１には、エンボス加工後に、エンボス１７０周囲にホログラム保護層１２７の上面及び表層１３０の下面間に空隙Ａが発生した。これは、表層１３０及びホログラム保護層１２７の一部が、剥離してしまった現象と考えられる。
一方、第２実施形態のカード２０１には、このような空隙Ａは発生しなかった。
【００３２】
このように、比較例のカード１０１に空隙Ａが発生する要因の１つは、以下の理由によると考えられる。
図４（ａ）に示すように、第２実施形態の下基材２１１及び上基材２１３は、接着層２１２を介して積層されているので、屈曲時には、個々に変形しようとして、面方向（ＸＹ平面方向）のある程度のズレが許容される。
一方、図４（ｂ）に示すように、比較例のカード基材１１０は、１層で形成されるので、屈曲時には、一体で変形しようとする。このため、比較例のカード基材１１０の屈曲時の曲率半径Ｒ１１０は、第２実施形態のカード基材２１０の曲率半径Ｒ２１０よりも、下基材２１１及び接着層２１２の厚さ分だけ、大きくなる。
このため、比較例のカード基材１１０の上面近傍１１０ａの伸長量は、第２実施形態の上基材２１３の上面近傍２１０ａの伸長量よりも、大きくなってしまう。
【００３３】
エンボス加工時にも、同様な現象が起きていると考えられる。
図３（ｂ）に示すように、このため、比較例のカード基材１１０の上面近傍１１０ａの伸長量は、第２実施形態のカード基材２１０（上基材２１３）の上面近傍２１０ａよりも、伸長量が大きくなってしまう。なお、ホログラム層は、カード基材の上面に配置されているので、カード基材上面が伸長すれば、カード基材上面と一体で伸長しようとする。
このため、ホログラム保護層に生じるストレスは、カード基材の上面の伸長量が大きい程、大きくなる。そのため、比較例のホログラム保護層１２７のストレスの方が、第２実施形態のホログラム保護層２２７のストレスよりも大きくなる。このストレスが、比較例のホログラム保護層１２７の空隙Ａの発生要因の１つと考えられる。
これに対して、第２実施形態のカード２０１は、下基材２１１及び上基材２１３を接着層２１２で接着することにより、このような空隙Ａの発生を抑制できた。
【００３４】
また、カード２０１は、図４に示すような屈曲時においても、上記理由により、表層２３０及びホログラム保護層２２７間の剥離抑制の向上も期待できる。このため、カード２０１は、繰り返しの屈曲に起因する外観の悪化の抑止効果も期待でき、耐久性を向上できる。
【００３５】
（ホログラム層２２０をカード内部に埋め込む理由）
実施形態のカード２０１は、ホログラム層２２０をカード上面２０１ａに積層するのではなく、表層２３０の下側Ｚ１に埋め込む形態である。このように、埋め込む理由は、カード上面に積層した場合には、カードに求められる機能が、従来よりも低下する可能性があるからである。例えば、以下の機能である。
・この場合には、磁気ストライプがホログラム層よりも下側Ｚ１に配置されてしまうので、リーダの情報の読み取り性能が悪くなる。
・エンボスの上面には、銀の箔を転写する必要があるが、この場合には、ホログラム層の表面に銀の箔が転写しにくい。
・この場合には、リップマンのホログラム層は、最表面に配置される。リップマンのホログラム層は、エンボス加工に弱く、割れが発生しやすい傾向がある。なお、エンボスは、最表面に割れが発生すると、その割れをきっかけに、その下層まで割れてしまう。
・この場合には、ホログラム層の剥離が容易なので、改ざん抑制効果が小さくなり、セキュリティ性が低下する可能性がある。
【００３６】
また、ホログラム層をカード上面に積層した場合には、ホログラム層を、表層の上面の全面に積層しなければならない。ホログラム層を表層２３０よりも小さくすると、ホログラム層の外縁が視認できてしまうため、外観が悪くなるからである。このようにホログラム層を表層２３０の上面の全面に積層した場合には、高価なリップマンのホログラム層が大きくなるので、カードも高コストになってしまう。
【００３７】
すなわち、実施形態のカード２０１は、上記機能を維持し、かつ、低コストで製造できるように、ホログラム層２２０を内部に埋め込み、かつ、変移部を設けることにより、外観を低下させることなく、ホログラム層２２０を小さく形成しているわけである。
【００３８】
以上説明したように、本実施形態のカード２０１は、エンボス加工性、屈曲に対する耐久性を向上できる。また、カード内部の磁気ストライプ２３１等を隠蔽でき、外観を向上できる。
【００３９】
（第３実施形態）
次に、本発明の第３実施形態について説明する。
図５は、第３実施形態のカード３０１の平面図、断面図である（図２に対応する図）。
カード３０１は、第２実施形態と比較すると、以下の構成が異なる。
・カード３０１は、磁気ストライプ２３１（図２参照）が設けられていない。
・カード３０１は、上印刷層３４０が、表層２３０の下面に設けられている。
【００４０】
カード３０１は、磁気ストライプ２３１が設けられていないので、これを隠蔽する必要がない。このため、上印刷層３４０を、表層２３０の下面に配置した。
これにより、カード３０１は、以下の効果を奏する。
上印刷層３４０が露出しないので、上印刷層３４０の汚損を抑制できる。
また、変移部４３では、積層方向Ｚにおいて、上印刷層３４０及び上基材３１３の上面間には、ホログラム層３２０のみが存在する。このため、上印刷層３４０及び上基材３１３の上面間の距離が、第２実施形態よりも小さくなる。これにより、上印刷層３４０の黒色と、上基材３１３の上面の黒色との一体感を向上し、外観の向上を期待できる。
【００４１】
以上説明したように、本実施形態のカード３０１は、上印刷層３４０の汚損を抑制できる。また、上印刷層３４０、上基材３１３の一体感を向上し、外観の向上を期待できる。
【００４２】
（第４実施形態）
次に、本発明の第４実施形態について説明する。
図６は、第４実施形態のカード４０１の平面図、断面図である。
カード４０１は、第２実施形態と比較すると、以下の構成が異なる。
・上基材４１３の上面に黒色のシルク印刷層４１４（印刷接着層）を有する。
・上基材４１３の上面が凹凸を有するマット面４１３ａである。
・表層４３０の下面が凹凸を有するマット面４３０ａである。
ここで、マット面とは、表面に凹凸をつけた面をいう。マット加工は、例えば、サンドブラスト加工でプラスチックフィルムに微細な砂を吹きつけたり、プレス板の凹凸をプラスチックフィルムに賦形したりする手法等を用いる。
【００４３】
シルク印刷層４１４は、上基材４１３の上面及び表層４３０の下面との接着材と、上基材４１３の上面及びホログラム層４２０の下面の接着材としての機能を有する。
マット面４１３ａ，４３０ａは、接着面積を増やして、シルク印刷層４１４の接着性能を向上できる。つまり、マット面４１３ａ，４３０ａは、上基材４１３の上面及び表層４３０の下面間の接着性と、上基材４１３の上面及びホログラム層４２０の下面間の接着性とを向上できる。
【００４４】
ここで、マット面４１３ａ，４３０ａは、カード上面（表面）４０１ａから観察すると、波打って見えてしまうことがある。
本実施形態では、黒色のシルク印刷層４１４を設けることにより、この波打って見える現象を低減し、外観を向上できた。
つまり、本実施形態のカード４０１は、接着性を向上するために、上基材４１３の上面にマット面４１３ａ，４３０ａを設け、その上で、接着性能をより一層向上し、かつ、外観を低減させないように、シルク印刷層４１４を設けているわけである。
【００４５】
以上説明したように、本実施形態のカード４０１は、外観を低減させることなく、上基材４１３及び表層４３０の接着性と、上基材４１３及びホログラム層４２０の接着性とを向上できる。
【００４６】
なお、本実施形態では、黒色のシルク印刷層４１４を有するので、上基材４１３の基材自体の色彩は、黒色ではなくてもよい。カード上面４０１ａを観察した場合、上基材４１３は、シルク印刷層４１４により隠蔽されるからである。
また、本実施形態の構成は、第３実施形態に適用してもよい。この場合には、積層方向Ｚにおいて、シルク印刷層４１４及び上印刷層４４０の距離が小さくなるので、外観向上の効果を向上できる。
【００４７】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４８】
（変形形態）
（１）実施形態において、カード上面は、鏡面になっている例を示したが、これに限定されない。例えば、カード上面は、凹凸を有するマット状に加工（つや消し加工）されていてもよい。この場合には、表層を通過する光を少なくしてホログラム層の縁部を、よりぼかすことができるため、ホログラム層の縁部を目隠しする効果を向上できる。また、上面の傷を目立たなくすることができる。
なお、カード上面をマット加工するには、マット形状が形成されたプレートで、カード上面をプレスする工程を設ければよい。
【００４９】
（２）実施形態において、ホログラム層は、リップマン型である例を示したが、これに限定されない。例えば、ホログラム層は、エンボス型でもよい。
【００５０】
（３）実施形態において、変移部は、ホログラムの画像部分に重複しない例を示したが、これに限定されない。変移部は、ホログラムの画像部分に重複し、内側に至るに従って、濃淡が薄くなるように形成してもよい。この場合には、画像は、変移部によって、周囲がぼやけ、内側に至るに従ってシャープになるように観察できる。
【００５１】
（４）実施形態において、積層体は、カードである例を示したが、これに限定されない。例えば、積層体は、金券等に利用してもよい。
【００５２】
（５）実施形態において、印刷層、カード基材の色彩は、黒色である例を示したが、これに限定されない。例えば、印刷層、カード基材の色彩は、同系色であればいずれでもよい。また、カード基材や印刷層の色彩に関わらず、印刷層がホログラム層の縁部を隠蔽する効果があればよい。
【００５３】
（６）第２、第３実施形態において、カード基材は、２層（上基材、下基材）により構成される例を示したが、これに限定されない。カード基材は、３層以上で構成してもよい。
【符号の説明】
【００５４】
１  カード
１０  カード基材
２０  ホログラム層
３０  表層
４０  印刷層
４３  変移部
４４  窓部
１，２０１，３０１，４０１  カード
１０，２１０，３１０，４１０  カード基材
２０，２２０，３２０，４２０  ホログラム層
３０，２３０，３３０，４３０  表層
４０  印刷層
４３  変移部
４４  窓部
２４０，３４０，４４０  上印刷層
２５０，３５０，４５０  下層
２６０，３６０，４６０  下印刷層
２７０，３７０，４７０  エンボス
２１１，３１１，４１１  下基材
２１２，３１２，４１２  接着層
２１３，３１３，４１３  上基材
２２６，３２６，４２６  ホログラム形成層
２２７，３２７，４２７  ホログラム保護層
２３１，３３１，４３１  磁気ストライプ
４１３ａ，４３０ａ  マット面
４１４  シルク印刷層
【図１】
2012118170.tif 000003
【図２】
2012118170.tif 000004
【図３】
2012118170.tif 000005
【図４】
2012118170.tif 000006
【図５】
2012118170.tif 000007
【図６】
2012118170.tif 000008
【国際調査報告】
2012118170.tif 000009
2012118170.tif 000010
2012118170.tif 000011
2012118170.tif 000012